【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
位相差検出方式およびコントラスト方式の少なくとも一方による自動焦点検出を実行可能な撮像装置であって、
撮影光学系の非点収差、色収差、球面収差によって生じる、前記自動焦点検出に用いる信号の評価周波数と撮像画像の評価周波数との差によるピント状態の差を補正するための第１の補正値を算出する算出手段と、
前記第１の補正値によって補正された前記自動焦点検出の結果に基づいて前記撮影光学系が有するフォーカスレンズの位置を制御する制御手段と、
を有し、
前記算出手段は、
評価色と評価方向との組み合わせごとの空間周波数に対応したデフォーカスＭＴＦから、自動焦点検出の評価色と評価方向に対応するデフォーカスＭＴＦを取得して、異なる複数の空間周波数に対応するＭＴＦの極大値に対応する複数のフォーカスレンズ位置を自動焦点検出の評価帯域で重み付け加算したデフォーカスＭＴＦの極大値に対応する第１のフォーカスレンズ位置を求め、
評価色と評価方向との組み合わせごとの空間周波数に対応したデフォーカスＭＴＦから、撮像画像の評価色と評価方向に対応するデフォーカスＭＴＦを取得して、異なる複数の空間周波数に対応するＭＴＦの極大値に対応する複数のフォーカスレンズ位置を撮像画像の評価帯域で重み付け加算したデフォーカスＭＴＦの極大値に対応する第２のフォーカスレンズ位置を求め、
前記第１のフォーカスレンズ位置と前記第２のフォーカスレンズ位置との差を、前記第１の補正値として算出することを特徴とする撮像装置。
【請求項２】
前記算出手段が、前記撮像装置に対して着脱可能に装着されているレンズユニットから前記撮影光学系の非点収差、色収差、球面収差に関する情報を取得し、前記第１の補正値を算出することを特徴とする請求項１記載の撮像装置。
【請求項３】
前記撮影光学系を含み、前記撮像装置に対して着脱可能なレンズユニットをさらに有し、前記算出手段が前記レンズユニットに設けられることを特徴とする請求項１または請求項２に記載の撮像装置。
【請求項４】
前記撮影光学系がズームレンズであり、前記算出手段が、前記撮影光学系の画角とフォーカスレンズ位置との複数の組み合わせに対して予め記憶された前記撮影光学系の非点収差、色収差、球面収差に関する情報を用いて前記第１の補正値を算出することを特徴とする請求項１から請求項３のいずれか１項に記載の撮像装置。
【請求項５】
前記算出手段は、予め定められた、前記第１の補正値を算出しない条件が満たされる場合には、前記第１の補正値の算出を行わないことを特徴とする請求項１から請求項４のいずれか１項に記載の撮像装置。
【請求項６】
位相差検出方式およびコントラスト方式の少なくとも一方による自動焦点検出を実行可能な撮像装置の制御方法であって、
撮影光学系の非点収差、色収差、球面収差によって生じる、前記自動焦点検出に用いる信号の評価周波数と撮像画像の評価周波数との差によるピント状態の差を補正するための第１の補正値を算出する算出工程と、
前記第１の補正値によって補正された前記自動焦点検出の結果に基づいて前記撮影光学系が有するフォーカスレンズの位置を制御する制御工程と、
を有し、
前記算出工程は、
評価色と評価方向との組み合わせごとの空間周波数に対応したデフォーカスＭＴＦから、自動焦点検出の評価色と評価方向に対応するデフォーカスＭＴＦを取得して、異なる複数の空間周波数に対応するＭＴＦの極大値に対応する複数のフォーカスレンズ位置を自動焦点検出の評価帯域で重み付け加算したデフォーカスＭＴＦの極大値に対応する第１のフォーカスレンズ位置を求める工程と、
評価色と評価方向との組み合わせごとの空間周波数に対応したデフォーカスＭＴＦから、撮像画像の評価色と評価方向に対応するデフォーカスＭＴＦを取得して、異なる複数の空間周波数に対応するＭＴＦの極大値に対応する複数のフォーカスレンズ位置を撮像画像の評価帯域で重み付け加算したデフォーカスＭＴＦの極大値に対応する第２のフォーカスレンズ位置を求める工程と、
前記第１のフォーカスレンズ位置と前記第２のフォーカスレンズ位置との差を、前記第１の補正値として算出する工程と、
を有することを特徴とする撮像装置の制御方法。
【請求項７】
前記異なる複数の空間周波数に対応するＭＴＦの極大値に対応する複数のフォーカスレンズ位置の情報は、第１のパラメータと第２のパラメータとを変数とする関数として定義され、
前記撮像装置は、前記異なる複数の空間周波数に対応するＭＴＦの極大値に対応する複数のフォーカスレンズ位置の情報と前記第１のパラメータを用いて、デフォーカスＭＴＦ中間情報を記憶する記憶手段をさらに有し、
前記算出手段は、前記デフォーカスＭＴＦ中間情報と前記第２のパラメータを用いて、前記第１の補正値を算出することを特徴とする請求項１記載の撮像装置。
【請求項８】
前記撮影光学系を通過した光束を受光する撮像素子をさらに有し、
前記第１のパラメータは、色収差と、非点収差と、前記自動焦点検出を行う領域の位置とに対応する変数であり、
前記第２のパラメータは、球面収差に対応する変数であることを特徴とする請求項７記載の撮像装置。
【請求項９】
前記第１のパラメータは、色収差、非点収差、球面収差に対応する変数であり、
前記第２のパラメータは、前記自動焦点検出を行う領域の位置に対応する変数であることを特徴とする請求項７記載の撮像装置。
【請求項１０】
前記第１のパラメータと前記第２のパラメータを、前記自動焦点検出を行う状況に応じて変更することを特徴とする請求項７記載の撮像装置。
【請求項１１】
前記撮影光学系の非点収差、色収差、球面収差の少なくとも１つに対応する第１の帯域の情報と、該第１の帯域に対応する収差情報とを記憶する第１の記憶手段と、
前記自動焦点検出に用いる信号の評価帯域に対応する第２の帯域の情報を有する第２の記憶手段と、
前記第２の帯域のうち、前記第１の帯域に含まれない帯域に対応する収差情報を、前記第１の帯域の情報と、該第１の帯域に対応する収差情報とを用いて算出する加工手段と、をさらに有することを特徴とする請求項１記載の撮像装置。
【手続補正２】
【補正対象書類名】明細書
【補正対象項目名】０００８
【補正方法】変更
【補正の内容】
【０００８】
上述の目的は、位相差検出方式およびコントラスト方式の少なくとも一方による自動焦点検出を実行可能な撮像装置であって、撮影光学系の非点収差、色収差、球面収差によって生じる、自動焦点検出に用いる信号の評価周波数と撮像画像の評価周波数との差によるピント状態の差を補正するための第１の補正値を算出する算出手段と、第１の補正値によって補正された自動焦点検出の結果に基づいて撮影光学系が有するフォーカスレンズの位置を制御する制御手段と、を有し、算出手段は、評価色と評価方向との組み合わせごとの空間周波数に対応したデフォーカスＭＴＦから、自動焦点検出の評価色と評価方向に対応するデフォーカスＭＴＦを取得して、異なる複数の空間周波数に対応するＭＴＦの極大値に対応する複数のフォーカスレンズ位置を自動焦点検出の評価帯域で重み付け加算したデフォーカスＭＴＦの極大値に対応する第１のフォーカスレンズ位置を求め、評価色と評価方向との組み合わせごとの空間周波数に対応したデフォーカスＭＴＦから、撮像画像の評価色と評価方向に対応するデフォーカスＭＴＦを取得して、異なる複数の空間周波数に対応するＭＴＦの極大値に対応する複数のフォーカスレンズ位置を撮像画像の評価帯域で重み付け加算したデフォーカスＭＴＦの極大値に対応する第２のフォーカスレンズ位置を求め、第１のフォーカスレンズ位置と第２のフォーカスレンズ位置との差を、第１の補正値として算出することを特徴とする撮像装置によって達成される。
【手続補正３】
【補正対象書類名】明細書
【補正対象項目名】００４５
【補正方法】変更
【補正の内容】
【００４５】
カメラＭＰＵ１２５のＡＦ制御部１２５１は上述したそれぞれの焦点評価値を取得し、レンズＭＰＵ１１７を通じてフォーカスレンズ１０４を光軸方向に沿って所定方向に所定量移動させる。そして、新たに得られた画像データに基づいて上述した各種の評価値を算出し、全ライン積分評価値が最大値となるフォーカスレンズ位置を検出する。
【手続補正４】
【補正対象書類名】図面
【補正対象項目名】図１Ａ
【補正方法】変更
【補正の内容】
【図１Ａ】
2015222411.tif 000001
【手続補正５】
【補正対象書類名】図面
【補正対象項目名】図４
【補正方法】変更
【補正の内容】
【図４】
2015222411.tif 000002
【手続補正６】
【補正対象書類名】図面
【補正対象項目名】図５
【補正方法】変更
【補正の内容】
【図５】
2015222411.tif 000003
【手続補正７】
【補正対象書類名】図面
【補正対象項目名】図１４
【補正方法】変更
【補正の内容】
【図１４】
2015222411.tif 000004